(57)【特許請求の範囲】
【請求項１】
天井埋設型または天井吊下型の空気調和機（１）であって、
ケーシング（１１）と、
前記ケーシング（１１）の下面に設けられ、内部に空気を吸入するための吸入口（２０）と、
前記ケーシング（１１）の内部において、前記吸入口（２０）の上側に配置された遠心送風機（１７）と、
前記遠心送風機（１７）を囲むように配置された熱交換器（２７）と、
前記ケーシング（１１）に設けられ、前記熱交換器（２７）の外周側に配置され、外部に空気を吹き出すための複数の吹出口（２１）と、
前記吸入口（２０）と前記遠心送風機（１７）との間に配置されたベルマウス（１８）と、
前記ケーシング（１１）の天面に装着され、前記ケーシング（１１）の天面から前記ベルマウス（１８）まで延びている、電装品が収納された電装品箱（１６）とを備え、
前記ベルマウス（１８）は、前記電装品箱（１６）に支持されている、
空気調和機（１）。
【請求項２】
前記電装品箱（１６）は、
電装品が収納された電装品箱本体（４１）と、
前記ケーシング（１１）の天面に装着され、前記電装品箱本体（４１）を着脱自在に装着するための本体装着部材（４２）と、
を備えている、請求項１に記載の空気調和機（１）。
【請求項３】
前記電装品箱（１６）は、前記ベルマウス（１１）を前記電装品箱本体（４１）の下端との間に挟むように配置され、前記電装品箱本体（４１）を開閉するための蓋部材（４３）をさらに備えている、請求項２に記載の空気調和機（１）。
【請求項４】
前記電装品箱（１６）は、前記複数の吹出口（２１）間に対応する位置に配置されている、請求項１〜３のいずれかに記載の空気調和機（１）。
【請求項５】
前記ケーシング（１１）は、略矩形形状であり、
前記複数の吹出口（２１）は、前記ケーシング（１１）の各辺に対応する位置に配置されており、
前記電装品箱（１６）は、前記ケーシング（１１）の角部（１１ａ）に対応する位置に配置されている、
請求項４に記載の空気調和機（１）。
【請求項６】
前記熱交換器（２７）は、前記遠心送風機（１７）の外周部から離れるように形成された複数の凸部（２７ｂ、２７ｄ）と、前記遠心送風機（１７）の外周部に近づくように形成された複数の凹部（２７ａ、２７ｃ）とを有し、
前記凸部（２７ｂ、２７ｄ）は、少なくとも前記角部（１１ａ）に対応する位置に配置されており、
前記電装品箱（１６）は、前記遠心送風機（１７）の外周部と前記凸部（２７ｂ、２７ｄ）とに挟まれた位置に配置されている、
請求項５に記載の空気調和機（１）。
【発明の詳細な説明】
【０００１】
【発明の属する技術分野】
本発明は、空気調和機、特に、天井埋設型または天井吊下型の空気調和機に関する。
【０００２】
【従来の技術】
空気調和機は、主に、圧縮機や熱交換器等を有する室外機と、遠心送風機や熱交換器を有する室内機とから構成されている。室内機としては、壁掛け型、天井埋設型、天井吊下型等のように様々な型の室内機が提供されている。
天井埋設型または天井吊下型の室内機は、主に、下面に吸入口及び複数の吹出口を有するケーシングと、ケーシング内部に配置された遠心送風機と、吸入口の上側に配置されたベルマウスと、遠心送風機を囲むように配置された熱交換器とを備えている。また、室内機の内部には、空気調和機の運転制御等に使用される電装品を収納した電装品箱が配置されている。
【０００３】
従来の室内機の電装品箱として、特開平４−２３６０２４号公報に示されるようなベルマウスの外周部に配置されたものがある（図２及び図３に点線で示す電装品箱５６を参照）。
【０００４】
【発明が解決しようとする課題】
しかし、上記の空気調和機の電装品箱では、ベルマウスの外周部に電装品箱の重量が作用して、ベルマウスの上下位置が変化するおそれがある。一方、遠心送風機は、ケーシングの天面に装着されているため、上下位置は一定に保たれている。このため、遠心送風機とベルマウスとの相対距離が所定の値から変化してしまい、遠心送風機の送風性能が低下するおそれがある。
【０００５】
本発明の課題は、天井埋設型または天井吊下型の空気調和機において、遠心送風機とベルマウスとの相対距離が所定の値に保たれるようにすることにある。
【０００６】
【課題を解決するための手段】
第１の発明かかる空気調和機は、天井埋設型または天井吊下型の空気調和機であって、ケーシングと、遠心送風機と、熱交換器と、ベルマウスと、電装品が収納された電装品箱とを備えている。ケーシングは、内部に空気を吸入するための吸入口と、外部に空気を吹き出すための複数の吹出口とを備えている。吸入口は、ケーシングの下面に設けられている。遠心送風機は、ケーシングの内部において、吸入口の上側に配置されている。熱交換器は、遠心送風機を囲むように配置されている。複数の吹出口は、熱交換器の外周側に配置されている。ベルマウスは、吸入口と遠心送風機との間に配置されている。電装品箱は、ケーシングの天面に装着されている。
【０００７】
この空気調和機では、電装品箱がケーシングの天面に装着されているため、ベルマウスに電装品箱の重量が作用しにくくなっている。これにより、遠心送風機とベルマウスとの相対距離が所定の値に保たれるようになり、遠心送風機の送風性能を発揮させることができる。
第２の発明にかかる空気調和機は、第１の発明において、電装品箱は、ケーシングの天面からベルマウスまで延びている。そして、ベルマウスは、電装品箱に支持されている。
【０００８】
この空気調和機では、ベルマウスがケーシングの天面に装着された電装品箱に支持されている。すなわち、ベルマウスは、電装品箱を介して、ケーシングの天面に支持されている。これにより、ベルマウスの上下位置がより安定するようになる。
第３の発明にかかる空気調和機は、第２の発明において、電装品箱は、電装品が収納された電装品箱本体と、電装品箱本体を着脱自在に装着するための本体装着部材と、電装品箱本体を開閉するための蓋部材とを備えている。本体装着部材は、ケーシングの天面に装着されている。蓋部材は、ベルマウスを電装品箱本体の下端との間に挟むように配置されている。
【０００９】
この空気調和機では、電装品箱本体がケーシングの天面に装着された本体装着部材に着脱自在に装着されているため、電装品の点検時に容易に電装品箱本体を取り外すことができる。また、電装品箱の蓋部材は、電装品箱の下端を閉止するとともにベルマウスを支持しているため、部品点数も少なくできる。
第４の発明にかかる空気調和機は、第１〜第３の発明のいずれかにおいて、電装品箱は、複数の吹出口間に対応する位置に配置されている。
【００１０】
この空気調和機では、電装品箱が吹出口間に対応する位置に配置されているので、遠心送風機から外周側に吹き出された空気の通風抵抗になりにくい。
第５の発明にかかる記載の空気調和機は、第４の発明において、ケーシングは略矩形形状であり、複数の吹出口はケーシングの各辺に対応する位置に配置されている。そして、電装品箱は、ケーシングの矩形の角部に対応する位置に配置されている。
【００１１】
この空気調和機では、電装品箱がケーシングの吹出口が配置されていない角部に対応する位置に配置されているため、ケーシング内部のスペースの有効利用ができる。
第６の発明にかかるに記載の空気調和機は、第５の発明において、熱交換器は、遠心送風機の外周部から離れるように形成された複数の凸部と、遠心送風機の外周部に近づくように形成された複数の凹部とを有している。凸部は、少なくとも角部に対応する位置に配置されている。そして、電装品箱は、遠心送風機の外周部と凸部とに挟まれた位置に配置されている。
【００１２】
この空気調和機では、熱交換器は複数の凹部と複数の凸部とを有しており、この凸部は略矩形形状のケーシングの角部に対応する位置に配置されている。これにより、遠心送風機の外周部と熱交換器の凸部とに挟まれた領域は、他の領域よりも大きなスペースを有している。そして、この領域に電装品箱が配置されているので、複数の凹部と複数の凸部を形成することによる熱交換器の有効長の増加とともに、ケーシング内部のスペースの有効利用ができる。
【００１３】
【発明の実施の形態】
以下、本発明の一実施形態を図面に基づいて説明する。
（１）空気調和機の構成
本発明の一実施形態にかかる空気調和機の室内機１の外観斜視図（天井は省略）を図１に示す。室内機１は天井埋設型であり、天井に埋設されるケーシング１１と、ケーシングの下面に配置された化粧パネル１２とを備えている。
【００１４】
ケーシング１１は、その内部に室内機１の構成部品を格納するための部材ある。ケーシング１１は、本実施形態においては、略矩形形状の外形を有している。
化粧パネル１２は、下面中央に設けられた吸入口２０と、吸入口２０の外周側に設けられた４つの吹出口２１とを備えている。
次に、図２及び図３を用いてケーシング１１の内部について説明する。ここで、図２は室内機１の内部を示す下面図であり、図３は、図２のＡ−Ｏ−Ａ断面図である。ケーシング１１は、主に、遠心送風機１７と、熱交換器２７と、ドレンパン２５と、ベルマウス１８と、電装品箱１６とを備えている。また、ケーシング１１の角部１１ａの一つには、熱交換器２７と室外機（図示せず）との接続配管を配置するため空間からなる配管接続部２６が形成されている。ここで、図２及び図３に点線によって示す電装品箱５６は、従来の電装品箱の配置を示している。
【００１５】
遠心送風機１７は、吸入口２０から室内の空気を吸い込んで側方に空気を吹き出すための機器であり、吸入口２０の上側に配置され、ケーシング１１の天面に装着されている。ここで、遠心送風機１７の回転軸を回転軸Ｏ−Ｏとし、遠心送風機１７の回転方向を回転方向Ｒとする。
熱交換器２７は、遠心送風機１７から吹き出された空気を熱交換するための機器であり、遠心送風機１７を囲むように配置されている。熱交換器２７は、本実施形態においては、クロスフィン型の熱交換器パネルを曲げ加工して形成されたものであり、２つの凹部２７ａ、２７ｃと、２つの凸部２７ｂ、２７ｄとを有している。具体的には、凹部２７ａは、遠心送風機１７の外周部に近づくように形成された部分であり、本実施形態においては、配管接続部２６の反回転方向Ｒ側の辺の吹出口２１に対応して形成されている。また、凸部２７ｂは、遠心送風機１７の外周部から離れるように形成された部分であり、本実施形態においては、配管接続部２６の反回転方向Ｒ側の角部１１ａに対応して形成されている。さらに凸部２７ｄの反回転方向Ｒ側の辺の吹出口２１に対応して凹部２７ｃが配置されており、凹部２７ｃの反回転方向Ｒ側の角部１１ａに対応して凸部２７ｄが形成されている。
【００１６】
ドレンパン２５は、熱交換器２７において空気が冷却される際に生じる凝縮水を受けるための樹脂製の板状部材であり、熱交換器２７の下側に配置され、ケーシング１１の下部に装着されている。ドレンパン２５には、図４に示すように、吸入口２０に対応する円孔２５ａと、４つの吹出口２１に対応する角孔２５ｂと、円孔２５ａの外周縁をさらに矩形形状に切り欠いた第１溝部２５ｃとが形成されている。第１溝部２５ｃは、ケーシング１１の角部１１ａの一つに対応する位置に配置されている。
【００１７】
ベルマウス１８は、図３及び図４に示すように、中心にベル形状の開口を有する板状部材であり、吸入口２０とドレンパン２５との間に配置され、固定ネジ３０によりドレンパン２５に装着されている。ベルマウス１８の外周縁には、ドレンパン２５の第１溝部２５ｃに対応する位置を切り欠いた第２溝部１８ａが形成されている。そして、第１溝部２５ｃと第２溝部１８ａとが上下方向に重なることによって、窓部４４が形成されており、電装品箱１６の下端が配置されている。
【００１８】
電装品箱１６は、ケーシング１１の天面からベルマウス１８まで延びる形状を有する運転制御等に使用される電装品を収納するための機器である。電装品箱１６は、本実施形態においては、図２に示すように、遠心送風機１７の外周部と熱交換器２７の凸部２７ｂとの間に配置されている。電装品箱１６は、図４及び図５に示すように、運転制御等に使用される電装品が収納された電装品箱本体４１と、電装品箱本体４１を着脱自在に装着するための本体装着部材４２と、電装品箱本体４１を開閉するための蓋部材４３とを備えている。
【００１９】
電装品箱本体４１は、運転制御等に使用される電装品を収納する縦長の箱状部材であり、その上部側面には爪部４１ａが形成されている。
本体装着部材４２は、ケーシング１１の天面に固定ネジ３１によって装着される固定面部４２ａと、固定面部４２ａの遠心送風機１７側の辺から下方に延びる第１側面部４２ｂと、固定面部４２ａの熱交換器２７側の辺から下方に延びる第２側面部４２ｃと、第２側面部４２ｃの下端から遠心送風機１７側に延びる支持面部４２ｄとを備えている。第１側面部４２ｂには、スリット孔４２ｅが形成されており、電装品箱本体４１の爪部４１ａを係止している。第２側面部４２ｃには、電装品箱本体４１方向に突出した突出部４２ｆが形成されており、電装品箱本体４１の一側面を支持している。支持面部４２ｄは、電装品箱本体４１の下端を支持している。
【００２０】
蓋部材４３は、ベルマウス１８の第２溝部１８ａの周縁部を電装品箱本体４１の下端との間に挟むように配置された板状部材であり、固定ネジ３２によって、電装品箱本体４１に装着されている。
以上の電装品箱１６の構成により、電装品箱本体４１は、本体装着部材４２に着脱自在に装着されている。また、ベルマウス１８の第２溝部１８ａの周縁部は、蓋部材４３により上方に押し上げられるように支持されている。
【００２１】
（２）空気調和機の動作
室内機１の動作について図３を用いて説明する。
遠心送風機１７を回転させると、図３の矢印Ｗに示されるように、室内機１の内部に吸入口２０から室内の空気が吸い込まれる。吸い込まれた空気は、図３の矢印Ｘに示されるように、遠心送風機１７の外周側に吹き出される。遠心送風機１７の外周側に吹き出された空気は、矢印Ｙに示されるように、遠心送風機１７の外周側に配置された熱交換器２７によって熱交換され、ケーシング１１の下面の外周部に設けられた吹出口２１から室内に吹き出される。
【００２２】
（３）電装品箱の着脱
電装品箱１６の点検時における電装品箱本体４１の着脱について図５を用いて説明する。
電装品箱本体４１を本体装着部材４２から取り外す手順について説明する。
まず、固定ネジ３２を取り外し、蓋部材４３を取り外す。次に、電装品箱本体４１の下端を遠心送風機１７側に引っ張る。すると、電装品箱本体４１は、本体装着部材４２の突出部４２ｆを支点にして傾き、電装品箱本体４１の爪部４１ａと本体装着部材４２のスリット孔４２ｅとが離れる。その後、電装品箱本体４１を窓部４４から斜め下方に引き出す。
【００２３】
逆に、電装品箱本体４１を本体装着部材４２に装着する際は、上記取り外し手順を逆に行うことで装着される。
（４）空気調和機の特徴
本実施形態の空気調和機には、以下のような特徴がある。
＜ベルマウス１８と遠心送風機１７との間隔の保持＞
従来の電装品箱５６は、図２及び図３に示すように、ベルマウス１８の外周部に配置されているため、ベルマウス１８の外周部に電装品箱５６の重量が作用して、ベルマウス１８の上下位置が変化するおそれがある。
【００２４】
これに対して、本実施形態の電装品箱１６は、ケーシング１１の天面に装着されているため、ベルマウス１８に電装品箱１６の重量が作用しにくくなっている。これにより、遠心送風機１７とベルマウス１８とのラップ代ｄ（相対距離）が所定の値に保たれるようになり、遠心送風機１７の送風性能を発揮させることができる。
【００２５】
＜ベルマウス１８の上下位置の安定＞
本実施形態では、ベルマウス１８がケーシング１１の天面に装着された電装品箱１６に支持されている。すなわち、ベルマウス１８は、電装品箱１６を介して、ケーシング１１の天面に支持されている。これにより、ベルマウス１８の上下位置が位置決めされ、安定するようになる。
【００２６】
＜電装品箱１６の着脱容易性＞
本実施形態では、電装品箱本体４１がケーシング１１の天面に装着された本体装着部材４２に着脱自在に装着されているため、電装品の点検時に容易に電装品箱本体４１を取り外すことができる。また、電装品箱１６の蓋部材４３は、電装品箱１６の下端を閉止するとともにベルマウス１８を支持しているため、部品点数も少なくできる。
【００２７】
＜送風抵抗になりにくい電装品箱１６の配置＞
本実施形態では、電装品箱１６がケーシング１１の各辺に設けられた吹出口２１間の一つに対応する位置に配置されているので、遠心送風機１７から外周側に吹き出された空気の通風抵抗になりにくい。
＜熱交換器２７の有効長の増加＞
本実施形態では、熱交換器２７は、２箇所の凹部２７ａ、２７ｃと２箇所の凸部２７ｂ、２７ｄとを有しているため、従来の熱交換器に比べて有効長が増加している。そして、凹部２７ａ、２７ｃは、吹出口２１に対応する位置に配置されているため、吹出口２１の開口面積を小さくすることもない。
【００２８】
＜ケーシング１１のスペース性の向上＞
本実施形態では、熱交換器２７の凸部２７ｂは、ケーシング１１の角部１１ａに対応する位置に配置されている。これにより、遠心送風機１７の外周部と凸部２７ｂとに挟まれた領域は、他の領域よりも大きなスペースを有している。そして、この領域に電装品箱１６が配置されているので、ケーシング１１のスペースの有効利用ができるようになっている。
【００２９】
（５）他の実施形態
以上、本発明の実施形態について図面に基づいて説明したが、具体的な構成は、この実施形態に限られるものではなく、発明の要旨を逸脱しない範囲で変更可能である。
例えば、この実施形態では、天井埋設型の空気調和機に本発明を適用しているが、天井吊下型の空気調和機に対しても本発明を適用することができる。
【００３０】
【発明の効果】
以上の説明に述べたように、本発明によれば、以下の効果が得られる。
第１の発明では、ベルマウスに電装品箱の重量が作用しにくい構成になっているため、遠心送風機とベルマウスとの相対距離が所定の値に保たれ、遠心送風機の送風性能を発揮させることができる。
【００３１】
第２の発明では、ベルマウスが電装品箱を介してケーシングの天面に支持されているため、ベルマウスの上下位置が安定するようになる。
第３の発明では、電装品箱本体がケーシングの天面に装着された本体装着部材に着脱自在に装着されているため、電装品の点検時に容易に電装品箱本体を取り外すことができる。また、電装品箱の蓋部材は、電装品箱の下端を閉止するとともにベルマウスを支持しているため、部品点数も少なくできる。
【００３２】
第４の発明では、電装品箱が吹出口間に対応する位置に配置されているので、遠心送風機の外周から吹き出された空気の通風抵抗になりにくい。
第５の発明では、電装品箱がケーシングの吹出口が配置されていない角部に対応する位置に配置されているため、ケーシング内部のスペースの有効利用ができる。
【００３３】
第６の発明では、遠心送風機の外周部と熱交換器の凸部とに挟まれた領域に電装品箱を配置しているので、ケーシング内部のスペースの有効利用ができる。
【図面の簡単な説明】
【図１】  本発明の一実施形態にかかる空気調和機の室内機の外観斜視図。
【図２】  本発明の一実施形態にかかる空気調和機の室内機の内部を示す下面図。
【図３】  図２のＡ−Ｏ−Ａ断面図。
【図４】  ベルマウス及び電装品箱のケーシングへの組み付けを示す分解斜視図。
【図５】  図２の電装品箱付近の拡大断面図。
【符号の説明】
１            室内機（空気調和機）
１１          ケーシング
１６、５６    電装品箱
１７          遠心送風機
１８          ベルマウス
２０          吸入口
２１          吹出口
４１          電装品箱本体
４２          本体装着部材
４３          蓋部材
【図１】
0003669315.tif 000002
【図２】
0003669315.tif 000003
【図３】
0003669315.tif 000004
【図４】
0003669315.tif 000005
【図５】
0003669315.tif 000006